(57)【特許請求の範囲】
【請求項１】
ユーザにより着用されるウェアラブルデバイスであって、
前記ウェアラブルデバイスを前記ユーザに固定する固定要素と、
着用されるとき前記ユーザの皮膚に接触する下側と、
前記ウェアラブルデバイスの下側と前記ユーザの皮膚との間に蓄積された汗の量を示し、経時的な汗への暴露を示す汗レベル測定値を決定し、及び前記汗レベル測定値に基づき前記ウェアラブルデバイスの下側を換気する時間を決定する処理ユニットとを有する、ウェアラブルデバイス。
【請求項２】
前記ユーザの生理学的信号を取得する、皮膚コンダクタンスセンサ以外の少なくとも１つの生理学的パラメータセンサを更に有し、前記処理ユニットが、前記生理学的信号に基づき前記汗レベル測定値を決定する、請求項１に記載のウェアラブルデバイス。
【請求項３】
活動センサを更に有し、前記処理ユニットが、前記活動センサの出力に基づき前記汗レベル測定値を決定する、請求項１又は２に記載のウェアラブルデバイス。
【請求項４】
タイマーを更に有し、前記処理ユニットが、前記タイマーの出力に基づき前記汗レベル測定値を決定する、請求項１乃至３のいずれかに記載のウェアラブルデバイス。
【請求項５】
前記処理ユニットが、前記汗レベル測定値に基づき前記ウェアラブルデバイスの前記下側を換気する時間を決定し、更に生理学的パラメータの連続測定が必要でないときを考慮する、請求項１乃至４のいずれかに記載のウェアラブルデバイス。
【請求項６】
出力ユニットを更に有し、前記ウェアラブルデバイスが、前記出力ユニットを介して前記ウェアラブルデバイスの前記下側を換気する前記時間に関する通知を提供する、請求項１乃至５のいずれかに記載のウェアラブルデバイス。
【請求項７】
前記ウェアラブルデバイスが、
前記ウェアラブルデバイスの前記下側の少なくとも一部と前記ユーザの皮膚との間に間隔が提供される換気状態と、
前記ウェアラブルデバイスの下側の前記一部が前記ユーザの皮膚に接触する接触状態とを採用し、
前記ウェアラブルデバイスは、前記ウェアラブルデバイスの下側を換気する時間を前記処理ユニットが決定するとき、前記換気状態と前記接触状態との間で振動する、請求項１乃至６のいずれかに記載のウェアラブルデバイス。
【請求項８】
前記ウェアラブルデバイスが、前記ウェアラブルデバイスの前記下側の少なくとも一部と前記ユーザの皮膚との間に間隔が提供される換気状態と、前記ウェアラブルデバイスの下側の前記一部が前記ユーザの皮膚に接触する接触状態とを採用し、
前記ウェアラブルデバイスは、前記ユーザの生理学的信号を取得する生理学的パラメータセンサを更に有し、
前記ウェアラブルデバイスが、前記換気状態において、前記生理学的パラメータセンサの前記接触状態とは異なるセンサ又は異なる測定モードに切り替える、請求項１乃至７のいずれかに記載のウェアラブルデバイス。
【請求項９】
前記ウェアラブルデバイスが、前記ウェアラブルデバイスの前記下側の少なくとも一部と前記ユーザの皮膚との間に間隔が提供される換気状態と、前記ウェアラブルデバイスの下側の前記一部が前記ユーザの皮膚に接触する接触状態とを採用し、前記ウェアラブルデバイスは、前記ウェアラブルデバイスと前記ユーザの皮膚との間に前記間隔を提供する間隔要素を更に有し、前記間隔要素が、第１の換気状態と第２の接触状態との間で変位可能であり、前記間隔要素は、着用されるとき、前記下側と前記ユーザの皮膚との間に配置され、前記第１の換気状態では、前記間隔要素が前記ウェアラブルデバイスの下側から少なくとも部分的に離れており、前記第２の接触状態では、前記間隔要素は前記ウェアラブルデバイスの下側に位置している、請求項１乃至８のいずれかに記載のウェアラブルデバイス。
【請求項１０】
前記間隔要素が水分に対して透過性である、請求項９に記載のウェアラブルデバイス。
【請求項１１】
前記ユーザの生理学的信号を取得する生理学的パラメータセンサを更に有し、前記生理学的パラメータセンサが、光学的生理学的パラメータセンサであり、前記間隔要素は、前記光学的生理学的パラメータセンサにより使用される波長で透過的である、請求項９又は１０に記載のウェアラブルデバイス。
【請求項１２】
少なくとも１つの生理学的パラメータセンサが前記間隔要素に組み込まれる、請求項９乃至１１のいずれかに記載のウェアラブルデバイス。
【請求項１３】
ユーザにより着用されるウェアラブルデバイスと、
処理ユニットと有するシステムであって、
前記ウェアラブルデバイスが、
前記ウェアラブルデバイスをユーザに固定する固定要素と、
着用されるとき、前記ユーザの皮膚に接触する下側とを含み、
前記処理ユニットが、前記ウェアラブルデバイスの下側と前記ユーザの皮膚との間に蓄積された汗の量を示し、経時的な汗への暴露を示す汗レベル測定値を決定し、前記汗レベル測定値に基づき前記ウェアラブルデバイスの下側を換気する時間を決定する、システム。
【請求項１４】
ウェアラブルデバイスの作動方法において、
前記ウェアラブルデバイスが、前記ウェアラブルデバイスをユーザに固定する固定要素と、着用されるとき前記ユーザの皮膚に接触する下側とを含み、
前記ウェアラブルデバイスを前記ユーザに固定するステップと、
処理ユニットにより、前記ウェアラブルデバイスの下側と前記ユーザの皮膚との間に蓄積された汗の量を示し、経時的な汗への暴露を示す汗レベル測定値を決定するステップと、
前記処理ユニットにより、前記汗レベル測定値に基づき、前記ウェアラブルデバイスの前記下側を換気する時間を決定するステップとを有する、方法。
【請求項１５】
実行されるときコンピュータに、ユーザに固定されたウェアラブルデバイスの下側と前記ユーザの皮膚との間に蓄積された汗の量を示し、経時的な汗への暴露を示す汗レベル測定値を決定するステップと、前記汗レベル測定値に基づき、前記ウェアラブルデバイスの前記下側を換気する時間を決定するステップとを実行させるプログラムコード手段を含む、コンピュータプログラム。
【発明の詳細な説明】
【技術分野】
【０００１】
本発明は、フィットネス及び活動トラッカーなどのウェアラブルデバイス、並びに医療技術の分野に関する。特に、本発明は、ユーザにより着用されるよう構成されたウェアラブルデバイスに関し、ウェアラブルデバイスは、ウェアラブルデバイスをユーザに固定するための固定要素と、着用されるときユーザの皮膚に接触する下側とを備える。本発明は更に、方法及び対応するコンピュータプログラムに関する。
【背景技術】
【０００２】
人のバイタルサイン例えば、心拍数（ＨＲ）、呼吸数（ＲＲ）又は動脈血酸素飽和度（Ｓｐ０２）は、人の現在の健康状態又はフィットネス状態の指標として、及び深刻な医療イベントの予測因子として役立つ。このため、入院患者及び外来患者のケア環境、自宅、又は更なる健康、レジャー、フィットネス環境でバイタルサインが広範囲に監視される。
【０００３】
近年、活動トラッカー、スポーツウォッチ、ヘルスウォッチなどのウェアラブルデバイスが開発される。特に、フォトプレチスモグラフィ（ＰＰＧ）、生体インピーダンス、又は静電容量法に基づかれる血液量センシング技術を使用して、ＵＳ８，２６０，４０５Ｂ２に記載されるように心拍数を検出する手首装着型の心拍数モニタが、市場に登場している。
【０００４】
プレチスモグラフィは一般に、臓器又は身体部分の容積変化の測定を指し、特に心拍ごとに対象の身体を移動する心血管パルス波による容積変化の検出を指す。フォトプレチスモグラフィ（ＰＰＧ）は、関心領域又はボリュームの光反射率又は透過率の経時変化を評価する光学測定技術である。ＰＰＧは、血液が周囲の組織よりも光を吸収し、その結果、心拍ごとの血液量における変動が透過率又は反射率に対応して影響するという原理に基づかれる。心拍数に関する情報に加えて、ＰＰＧ波形は、呼吸などの更なる生理学的現象に起因する情報を含むことができる。異なる波長（通常は赤及び赤外線）における透過率及び／又は反射率を評価することにより、血中酸素飽和度（Ｓｐ０２）が決定されることができる。
【０００５】
ウェアラブルデバイスは通常、腕又は手首に装着される。センサは、皮膚との良好な接触を行うときに最適に機能する。
【発明の概要】
【発明が解決しようとする課題】
【０００６】
従って、デバイスは非常にしっかりと固定されることが望ましい。ＰＰＧベースの心拍数モニタの会社がウェアラブルデバイスを腕の周りにかなりきつく締めるよう顧客に勧める理由の１つは、圧力が高くなると、動脈血の脈拍の血液量の変動が（静脈及び細静脈などにおける）他の血液量変動に対して強くなり、これによりＳ／Ｎ比が増加するためである。デバイスを非常にきつく締めるよう顧客に勧めるもう１つの理由は、時計の下に外光が入り、信号と干渉することを回避するためである。
【０００７】
出願人の以前の出願であるＷＯ２０１６／０９７２７１Ａ２号は、接触圧力がフォトプレチスモグラフィ及びパルスオキシメトリ信号の振幅に大きく影響することを示す。生理学的パラメータセンサと、生理学的パラメータセンサと対象との間の接触圧力を調整するためのアクチュエータとを含む装置が提供される。接触圧は、センサと対象の皮膚との接触を維持しながら信号品質を改善するために調整される。
【０００８】
ＵＳ２０１６／００５８３８８Ａ１号は、生体信号測定方法及び装置を開示する。生体信号測定方法は、測定された生体信号が範囲内にあるか否かを検証し、検証結果に基づき、測定された生体信号が範囲から外れるとき生体信号測定装置の動作を制御する。
【０００９】
ＷＯ２０１７／０５０７８４Ａ１号は、ユーザの生理学的パラメータを測定するためのストラップベースのウェアラブルデバイスを開示する。センサ構成は、ユーザの生理学的パラメータに関する情報を伝達するために使用される。ストラップ構成の締め具合は、センサ信号の品質に応じて自動的に制御される。
【００１０】
ＵＳ２０１６／０１４３５８４Ａ１号は、ケースユニットを生体に固定するバンドを含む生体情報測定装置を開示する。バンドは、生体に面する側に凹溝部を具備する。溝部の深さは１０２０μｍ以上１１４０μｍ以下である。
【００１１】
本発明の目的は、改善された着用快適性を可能にし、特に皮膚刺激の低減を支援するウェアラブルデバイスを提供することである。更に、精度及び／又は信頼性が改善された測定を可能にするウェアラブルデバイスを提供することが有利であろう。
【課題を解決するための手段】
【００１２】
本発明の第１の態様では、ユーザにより着用されるよう構成されたウェアラブルデバイスが提示される。ウェアラブルデバイスは、
ウェアラブルデバイスをユーザに固定する固定要素と、
着用されるときユーザの皮膚に接触する下側と、
ウェアラブルデバイスの下側とユーザの皮膚との間に蓄積された汗の量を示す汗レベル測定値を決定し、上記汗レベル測定値に基づき、上記ウェアラブルデバイスの上記下側を換気する時間における量を決定するよう構成された処理ユニットとを有する。オプションで、汗レベル測定値は更に、経時的な汗への（蓄積された）暴露を示すこともできる。
【００１３】
本発明の更なる態様では、ウェアラブルデバイス及び処理ユニットを含むシステムが提示される。ウェアラブルデバイスは、ユーザにより着用されるよう構成され、ウェアラブルデバイスをユーザに固定する固定要素と、着用されるときユーザの皮膚に接触する下側とを有する。処理ユニットは、ウェアラブルデバイスの下側とユーザの皮膚との間に蓄積された汗の量を示す汗レベル測定値を決定するよう構成される。汗レベル測定値は更に、経時的な汗への暴露を示すことができる。処理ユニットは、上記汗レベル測定値に基づき、ウェアラブルデバイスの上記下側を換気するための時間を決定するよう構成される。
【００１４】
本発明の更に別の態様では、ウェアラブルデバイスを作動させる方法が提示される。ウェアラブルデバイスは、ウェアラブルデバイスをユーザに固定する固定要素と、着用されるときユーザの皮膚に接触する下側とを含む。この方法は、
ウェアラブルデバイスをユーザに固定するステップと、
処理ユニットにより、ウェアラブルデバイスの下側とユーザの皮膚との間に蓄積された汗の量を示す汗レベル測定値を決定するステップと、
上記汗レベル測定値に基づき、上記ウェアラブルデバイスの上記下側を換気するための時間を処理ユニットにより決定するステップとを有する。オプションで、汗レベル測定値は、経時的な汗への暴露を示すこともできる。
【００１５】
本発明の更に別の態様では、コンピュータ上で実行されるとき、コンピュータに、ユーザに固定されたウェアラブルデバイスの下側とユーザの皮膚との間に蓄積された汗の量を示す汗レベル測定値を決定するステップと、上記汗レベル測定値に基づき、上記ウェアラブルデバイスの下側を換気する時間を決定するステップとを実行させるプログラムコード手段を含む対応するコンピュータプログラム、及びプロセッサにより実行されるとき、本書で開示される上記方法ステップを実行させるコンピュータプログラムを格納する非一時的なコンピュータ可読記録媒体とが提供される。
【００１６】
本発明の好ましい実施形態は、従属請求項に規定される。請求に記載のシステム、方法、コンピュータプログラム及び媒体は、特に従属請求項で規定され、本書で開示される、請求項に記載されたウェアラブルデバイスと同様及び／又は同一の好ましい実施形態を有することができることを理解されたい。
【００１７】
本発明は、ウェアラブルデバイス、より正確には、ユーザの皮膚と接触するその下側を適切な時間に換気するという考えに基づかれる。上記で説明したように、信頼性の高い測定値を取得するため、腕時計又はブレスレットなどのウェアラブルデバイスのセンサは、ユーザの皮膚と適切に接触する必要がある。従って、デバイスは非常にしっかりと固定されることが望ましい。更に、特に環境光に対処するための適切なメカニズムのない光ベースの測定を使用するセンサの場合、センサ周辺の筐体又はケースも遮光される必要がある。即ち、外光からのノイズを避けるため、対象の皮膚に遮光シールが提供される。デバイスが皮膚に継続的に接触するため、汗は逃げることができず、デバイスと皮膚との間に蓄積され、これは、着用時の不快感と皮膚刺激とを引き起こす場合がある。
【００１８】
特に中程度の汗の蓄積がある場合、又はユーザが気を散らしている、若しくは眠っている場合、ユーザは汗の蓄積を認識しない場合がある。それにもかかわらず、特に長時間にわたって蓄積された汗にさらされると、十分な量の汗が蓄積し、皮膚刺激を引き起こす可能性がある。日中は多くの動き及び活動があり、その結果、デバイスの動き、即ち異なる皮膚部分への不随意の再配置により、汗は自然には蓄積しない。夜、ユーザが寝ているとき、又はユーザが座りがちな活動に従事しているとき、ウェアラブルデバイスはかなり静的な状態のままになる場合がある。その場合、汗が蓄積し、これは、ウェアラブルデバイスの下側とユーザの皮膚との間に好ましくない微気候をもたらす場合がある。
【００１９】
従って、本書で提案される解決策は、ウェアラブルデバイスの下側とユーザの皮膚との間に蓄積された汗の量を示す汗レベル測定値を決定するよう構成された処理ユニットを提供することによりユーザをサポートする。特に、汗レベルの測定値は、時間の経過に伴う（蓄積された又は長期の）汗への暴露を示すことができる。例えば、処理ユニットは、汗センサ、生理学的パラメータセンサ、及び活動センサの少なくとも１つからの、例えば少なくとも５分、少なくとも１５分、少なくとも１時間、少なくとも２時間、少なくとも４時間、少なくとも１日の少なくとも１つの時間期間にわたる経時的な測定信号の積分に基づき汗レベル測定値を決定するよう構成されることができる。従って、瞬間的な汗レベル又は測定条件を評価するだけでなく、長期の着用快適性が改善され、皮膚刺激が回避又は少なくとも軽減されることができる。汗レベル測定値という用語は、所定の時間期間の汗への暴露を示す汗暴露レベルを指す場合もある。汗レベル測定値は、汗の（推定）量及び汗レベルへの暴露時間に基づき決定されてもよい。汗レベル測定値は、経時的な（推定又は測定された）汗レベルの積分に基づき決定されてもよい。例えば、より低い汗レベルは、皮膚刺激を引き起こすことなく長期間にわたって許容され得るが、より高い汗レベルはより頻繁な換気を必要とし得る。処理ユニットは更に、上記汗レベル測定値に基づき、ウェアラブルデバイスの上記下側を換気する時間を決定するよう構成される。処理ユニットは、プロセッサとも呼ばれることができる。処理ユニットは、マイクロコントローラ、特定用途向け集積回路（ＡＳＩＣ）、フィールドプログラマブルゲートアレイ（ＦＰＧＡ）などの単一のデバイス、又は一方向若しくは双方向にデータを交換する複数のデバイスにより実現されることができる。
【００２０】
ウェアラブルデバイスの上記下側を換気する時間に基づき、ウェアラブルデバイスの上記下側を換気するための適切な措置が講じられ、これは、汗が除去、例えば蒸発されることを可能にする。例えば、空気がウェアラブルデバイスの上記下側及び／又は対象の皮膚に到達し、水分を運び去ることが可能にされることができる。この概念は、バックパックとユーザの背中との間の換気を可能にする、いわゆるエアフローバックパックに似ている。通常のバックパックは、背中（を覆う衣服）の広い領域に直接接触する。これにより、ユーザは背中から熱及び汗を取り除くことができない。これは、暖かくて濡れた服及び服に付いた塩分を感じさせる場合がある。それにもかかわらず、バックパックでの状況は、連続的なスペースが提供されるという点で異なる。なぜなら、対象の生理学的パラメータの測定を可能にするため、ユーザの背中と接触する必要がないからである。従って、本書で提案される解決策は、第１のステップにおいて、ウェアラブルデバイスの下側とユーザの皮膚との間に蓄積される汗の量を示す汗レベル測定値を決定し、第２のステップにおいて、上記汗レベル測定値に基づき、ウェアラブルデバイスの上記下側を換気する時間を決定するよう構成される処理ユニットを提案する。
【００２１】
従って、潜在的に重大な状態が特定されることができ、これは、デバイスを手動で換気することにより、又はウェアラブルデバイスの下側を換気する（アクティブ）手段を提供することにより、ユーザが適切に反応することを可能にする。
【００２２】
本書で使用されるとき、ウェアラブルデバイスは、通常手首に装着される活動トラッカー又は活動モニタを指すことができるが、ユーザの生理学的信号を取得するユーザによりその少なくとも一部が着用される医療デバイスを指すこともある。ウェアラブルデバイスは、ユーザの生理学的パラメータを監視するウェアラブル監視装置を指すことができる。ウェアラブルデバイスは、ユーザの生理学的信号（生理学的パラメータ又はバイタルサインを示す）を測定するよう構成された生理学的パラメータセンサを含むことができる。
【００２３】
ユーザの生理学的信号は、ユーザのバイタルサイン又は生理学的パラメータを示す生理学的信号を指し得る。例えば、生理学的信号は、フォトプレチスモグラフィ（ＰＰＧ）測定又は生体インピーダンス測定を示すことができる。これらから、例えば心拍数、呼吸数、血中酸素飽和度、電気皮膚反応、皮膚電気活動又は心電図（ＥＣＧ）といった少なくともユーザの生理学的パラメータ又はバイタルサインを示すパラメータが得られることができる。
【００２４】
ユーザの生理学的信号を取得する生理学的パラメータセンサは、ユーザの身体の一部との接触を通じてユーザの上記生理学的パラメータを取得するよう構成されることができる。接触は、生理学的パラメータセンサとユーザの皮膚との間で直接接触してもよく、又は何らかの他の媒体を介して皮膚と接触してもよい。特に、生理学的パラメータセンサは、ユーザの皮膚に光学的又は電気的に接触するよう構成されることができる。生理学的パラメータセンサは、ウェアラブルデバイスより小さなサイズで配置されることが好ましい。
【００２５】
オプションで、ウェアラブルデバイスは、ウェアラブルデバイスの上記下側とユーザの皮膚との間のユーザの汗の量を示す汗信号を提供するよう構成された汗センサを備えることができる。処理ユニットは、上記汗信号に基づき汗レベル測定値を決定するよう構成されることができる。この実施形態の利点は、ウェアラブルデバイスの下側を換気する適切な時間を正確に決定するため、実際の汗レベルの正確な測定値が得られることができることである。言い換えると、ウェアラブルデバイスは、ウェアラブルデバイスの下側における水分レベルを感知する水分感知手段を備えることができる。
【００２６】
オプションで、ウェアラブルデバイスは、ユーザの生理学的信号を取得する少なくとも１つの生理学的パラメータセンサを含むことができる。処理ユニットは、上記生理学的信号に基づき汗レベル測定値を決定するよう構成されることができる。この実施形態の利点は、ユーザの生理学的信号を取得するためにウェアラブルデバイス内に既に提供される場合がある生理学的パラメータセンサが、汗レベル測定値を決定するためにも使用されることができることである。例えば、生理学的パラメータセンサは、ユーザが（激しい）身体活動を行っていると決定する場合がある。身体活動は、発汗量の増加と相関されることができる。従って、ウェアラブルデバイスの下側とユーザの皮膚との間に蓄積された汗の量の推定が、これに基づき決定され得る。
【００２７】
オプションで、追加的又は代替的に、ウェアラブルデバイスは活動センサを含むことができる。処理ユニット（２０）は、上記活動センサの出力に基づき汗レベル測定値（３２）を決定するよう構成されることができる。
【００２８】
汗センサ及び／又は生理学的パラメータセンサは好ましくは、ウェアラブルデバイスの下側に配置されることができる。
【００２９】
オプションで、生理学的パラメータセンサ、活動センサ（対象の活動を示す信号を提供する）又は汗センサは、皮膚電気活動センサ、心拍数センサ、運動センサ、及び特に皮膚温度センサ又は中核体温センサといった温度センサの少なくとも１つを含むことができる。皮膚電気活動（ＥＤＡ）センサは、皮膚コンダクタンス又は電気皮膚反応（ＧＳＲ）センサとも呼ばれる。本書で使用される汗センサは、汗の存在及び／又は量を測定するセンサを指し得る。心拍数センサは、フォトプレチスモグラフィ（ＰＰＧ）、生体インピーダンス、又は静電容量ベースのセンサなど、任意のタイプの既知の心拍数センサを指す。心拍数の増加は身体活動の増加と相関し、これは発汗量の増加と相関するため、ユーザの心拍数に基づき汗レベルの測定値を決定するのに、心拍数センサが使用されることができる。活動センサは、加速度計又はジャイロスコープなどの運動センサを指す。皮膚温度の上昇は発汗の増加と相関するため温度センサが、又は環境温度と発汗量との間にも相関関係があるため環境温度センサが、皮膚温度を有利に決定することができる。
【００３０】
オプションで、ウェアラブルデバイスはタイマー（又はクロック）を含むことができる。処理ユニットは、上記タイマー又はクロックの出力に基づき汗レベル測定値を決定するよう構成されることができる。例えば、ウェアラブルデバイスの下側を換気する時間は、ウェアラブルデバイスをユーザの皮膚に置いてからの時間間隔、又はウェアラブルデバイスの下側を換気する以前の時間に基づき決定されることができる。従って、汗レベル測定値は、最後の換気から経過した時間、又はユーザの皮膚にウェアラブルデバイスを置いてからの時間間隔に基づき、又はこれらを参照して決定されることができる。着用時間は、ウェアラブルデバイスの下に蓄積される汗の量と相関する場合がある。オプションで、より高い発汗が予想されるとき、例えば日中若しくは正午において、又は通常気温が高いとき、より頻繁にデバイスを換気するため、時刻が考慮されることができる。同様に、夕方又は夜間など、ユーザの座りがちな活動が予想されるとき、より低い頻度でデバイスを換気することが決定されることができる。従って、ウェアラブルデバイスはタイマーを含むことができ、処理ユニットは、時刻及び／又は（予想される）時間的活動パターンに基づき、ウェアラブルデバイスの下側とユーザの皮膚との間に蓄積された汗の量を示す汗レベル測定値として、汗の予想されるレベルを決定するよう構成され得る。オプションで、１つ又は複数のセンサ信号がタイマー又はクロックと組み合わせられることができる。
【００３１】
オプションで、ウェアラブルデバイスは、クロック／タイマー、運動センサ、生理学的パラメータセンサ、及び汗センサの１つ又は複数を備えることができる。クロック／タイマー、運動センサ、生理学的パラメータセンサ、及び汗センサの１つ又は複数からの情報は、汗レベル測定値を推定するため処理ユニットへの入力として使用されることができる。こうして、処理ユニットは、クロック／タイマー、運動センサ、生理学的パラメータセンサ、及び汗センサの１つ又は複数の出力に基づき汗レベル測定値を決定するよう構成されることができる。
【００３２】
オプションで、処理ユニットは、上記汗レベル測定値に基づきウェアラブルデバイスの上記下側を換気する時間を決定し、生理学的パラメータの連続測定が必要とされる（されない）ときを更に考慮するよう構成されることができる。例えば、生理学的パラメータが安定しているという条件の下で、処理ユニットは時間を決定するよう構成されることができる。一方、生理学的パラメータが変化する場合、換気は提案されない。これは従って、情報量の多いエピソードを示す場合がある。従って、関連する生理学的パラメータ情報を取得するため、ウェアラブルデバイスの下側を換気する時間が延期されることができる。一方、生理学的パラメータの安定期間又はユーザの低活動若しくはユーザの一定の活動を示す安定期間が決定される場合、斯かる期間は、ウェアラブルデバイスの下側を換気するために使用されることができる。即ち限られた量の情報だけが失われる。従って、処理ユニットは、上記汗レベル測定値、並びにオプションで生理学的パラメータの安定性及び／若しくは不安定性を示すパラメータ；ユーザ／介護者の入力、カレンダー項目（例えば、継続的な測定が望まれるスポーツ活動又は医療処置に従事する）、ユーザが手術室にいる（連続的な測定が望まれる）若しくは集中治療室（ＩＣＵ）にいるなどの位置情報、又はユーザの活動を示すパラメータ（連続測定が望まれる活動など）の１つ又は複数に基づき、ウェアラブルデバイスの上記下側を換気する時間を決定するよう構成されることができる。
【００３３】
オプションで、ウェアラブルデバイスは出力ユニットを備えることができる。この場合ウェアラブルデバイスは更に、出力ユニットを介してウェアラブルデバイスの下側を換気する時間に関する通知を提供するよう構成される。従って、ユーザ又は介護者は、デバイスを換気するためのアクションを実行するように指示されることができる。出力ユニットは、ウェアラブルデバイスの一部とすることができる。代替的に、システムでは、出力はスマートフォンなどの外部エンティティの一部とすることができる。出力ユニットは、ウェアラブルデバイスの通信インターフェースとすることもできる。
【００３４】
オプションで、ウェアラブルデバイスは、ウェアラブルデバイスの上記下側の少なくとも一部と対象の皮膚との間に間隔が設けられる換気状態、及びウェアラブルデバイスの下側の上記部分が対象の皮膚と接触するよう構成される接触状態を採用するよう構成される。従って、換気状態における上記間隔により、下側を換気するためのエアギャップが提供されることができる。換気状態は、汗脱出モード又は状態とも呼ばれる。換気状態は好ましくは、下側の少なくとも一部への空気の流れ又は換気を可能にする。他方、接触状態は、上記部分への空気の流れ又は換気を可能にしない。従って、ウェアラブルデバイスは、２つの異なる状態を選択的に採用するよう構成されることができる。ウェアラブルデバイスは、処理ユニットにより決定されるウェアラブルデバイスの下側を換気する時間に、処理ユニットにより決定される汗レベル測定値に基づき、換気状態に変化するよう構成されることができる。ウェアラブルデバイスの下側が汗を除去するために換気されると、ウェアラブルデバイスは再び接触状態に切り替わるよう構成されることができる。例えば、タイマーを使用するとき、ウェアラブルデバイスは例えば、換気状態への最後の変更から、又はウェアラブルデバイスがユーザの皮膚に最初に接触したときからといった、第１の所定の時間が経過したときに換気状態を採用するよう構成されることができる。これに対応して、ウェアラブルデバイスは、換気状態への最後の変更から第２の所定の時間が経過したときに接触状態に復帰するよう構成されることができる。例えば、換気状態では、間隔を設けるため、ウェアラブルデバイスは固定要素を緩めることができ、一方、接触状態では、ユーザと接触した状態でウェアラブルデバイスを固定するため、ウェアラブルデバイスは固定要素を締めることができる。
【００３５】
オプションで、ウェアラブルデバイスは、処理ユニットがウェアラブルデバイスの上記下側を換気する時間を決定するとき、上記換気状態と上記接触状態との間で振動するよう構成され得る。これにより、ウェアラブルデバイスは、ウェアラブルデバイスの下側とユーザの皮膚との間から水分又は汗を積極的に除去するよう構成される。従って、振動、即ち、上記換気状態と上記接触状態とを数回交互に繰り返すことが、汗の除去を更に改善することができる。処理ユニットがウェアラブルデバイスの下側を換気する時間を決定するとき、ウェアラブルデバイスは、上記換気状態と上記接触状態とを少なくとも２回交互に切り替えるよう構成されることができる。処理ユニットがウェアラブルデバイスの上記下側を換気する時間を決定するとき、ウェアラブルデバイスは、上記換気状態と上記接触状態との間で振動することにより汗を吸い出すよう構成され得る。
【００３６】
オプションで、この実施形態の更なる改良において、ウェアラブルデバイスは、ユーザの生理学的信号を取得する生理学的パラメータセンサを更に備えることができ、上記接触状態では、センサはユーザの皮膚に接触するよう構成される。上記換気状態では、センサは、ユーザの皮膚と接触しないよう構成される。従って、測定に最も関連する領域と見なされることができるセンサの下の領域が、換気されることができる。
【００３７】
オプションで、生理学的パラメータセンサは、上記換気状態において、上記接触状態とは異なる測定モード又は異なるセンサに切り替えてもよい。例えば、生理学的パラメータセンサが接触状態にあるとき、フォトプレチスモグラフィ（ＰＰＧ）測定などの第１の測定モダリティが使用されることができるが、ユーザが換気状態にあるとき、レーザースペックル撮像（ＬＳＩ）などの第２の異なる測定モダリティが使用されることができる。ウェアラブルデバイスは、ユーザの皮膚への接触を必要としない換気状態における測定モダリティ、即ち生理学的パラメータの非接触測定を使用するよう構成されることができる。有利な改良形態では、生理学的パラメータセンサは、異なる測定モード、例えば、接触モードにおけるＰＰＧ及び非接触モードにおけるレーザースペックル撮像など、同じ又は異なるセンサを使用した接触又は非接触センシングモードに切り替えるよう構成されることができる。
【００３８】
オプションで、ウェアラブルデバイスは更に、上記換気状態と上記接触状態との間で（自動的に）変化するアクチュエータを含むことができる。ウェアラブルデバイスは、汗レベル測定値に基づき上記アクチュエータを制御するコントローラを含むことができる。例えば、汗又は水分センサを使用して汗レベルが決定されることができ、上記汗レベル測定値が第１の所定の閾値を超える場合、ウェアラブルデバイスは、換気状態に変更するよう構成されることができる。他方、ウェアラブルデバイスは、汗のレベルが第２の所定の閾値を下回る場合、接触状態に変化するよう構成されることができる。第１及び第２の閾値は同じ又は異なるとすることができる。好ましくは、異なる閾値が使用され、その場合、ヒステリシスを提供するため、上記第２の閾値が上記第１の閾値よりも低い。これにより、２つの状態間の頻繁な変更が回避されることができ、バッテリー寿命を延ばすためのエネルギー効率の良い実現が提供される。従って、アクチュエータは、処理ユニットにより決定されるように、ウェアラブルデバイスの上記下側を換気する時間における汗レベル測定に基づき、ウェアラブルデバイスの下側の少なくとも一部の換気を可能にするよう構成されることができる。
【００３９】
オプションで、上記アクチュエータは、電気活性材料（ＥＡＭ）、特に電気活性ポリマーＥＡＰを含むことができる。追加的又は代替的に、（マイクロ）モーター又は他のタイプのアクチュエータが使用されることができる。
【００４０】
オプションで、ウェアラブルデバイスは、ウェアラブルデバイスと対象の皮膚との間に上記間隔を提供するよう構成された間隔要素を含むことができ、間隔要素は、第１の換気状態と第２の接触状態との間で変位可能であり、特に間隔要素は、着用されるとき、ウェアラブルデバイスの下側とユーザの皮膚との間に配置される。オプションで、第１の換気状態では、間隔要素は、ウェアラブルデバイスの下側から少なくとも部分的に離れており、第２の接触状態では、間隔要素は、ウェアラブルデバイスの下側にある。従って、上記間隔を提供し、換気状態でウェアラブルデバイスの下側から距離を置くことにより、間隔要素は、ユーザの皮膚とウェアラブルの下側との間の領域から汗を除去する間隔を可能にするよう構成される。
【００４１】
オプションで、間隔要素は水分を透過させることができる。例えば、間隔要素は、水及び／又は水蒸気に対して透過性の膜を含むことができる。間隔要素は、（微孔性）ＰＴＦＥ（ポリテトラフルオロエチレン）を含むことができる。
【００４２】
オプションである間隔要素は膜であり、及び／又は少なくとも１つのバンド若しくはストライプを含む。
【００４３】
オプションで、ウェアラブルデバイスは、ユーザの生理学的信号を取得する生理学的パラメータセンサを更に備え、生理学的パラメータセンサは、光学的生理学的パラメータセンサである。間隔要素は、上記光学生理学的パラメータセンサにより使用される波長で透過的である。より一般的には、センサは電磁（ＥＭ）波を使用し、間隔要素は測定に使用される波長に対して透過的である。本書で使用されるとき、透過的とは、上記光学生理学的パラメータセンサにより使用される波長で、５０％を超える、好ましくは７０％を超える、好ましくは８０％を超える、好ましくは９０％を超える透過率を指すことができる。例えば、生理学的パラメータセンサは、ＰＰＧセンサ若しくはレーザースペックル撮像センサなどの光学的生理学的パラメータセンサ、又は特に血液量変動を調べるために生理学的パラメータ測定に光が使用される他のセンサであり得る。従って、ユーザの皮膚とウェアラブルデバイスの上記下側との間に間隔が設けられることができ、同時に光学測定が可能にされる。
【００４４】
オプションで、アクチュエータは、少なくとも部分的に電気活性材料で作られた少なくとも１つの変位デバイスを備えることができ、変位デバイスは、第１の換気状態と第２の接触状態との間で間隔要素を変位させるために間隔要素に機械的に接続される。
【００４５】
オプションで、少なくとも１つの生理学的パラメータセンサが間隔要素に組み込まれることができる。従って、ユーザの皮膚とウェアラブルデバイスの下側との間の換気が提供されると同時に、生理学的パラメータセンサを介した継続的な監視が可能にされることができる。この実施形態の利点は例えば、強い信号対雑音比が決定される場合、ウェアラブルデバイスの下側の少なくとも一部が換気されることができ（そうでなければ生理学的パラメータセンサに対する遮蔽を提供したかもしれない）、これは、ウェアラブルデバイスの下側の換気を可能にする。
【００４６】
オプションで、追加的又は代替的に、間隔要素は、少なくとも部分的に電気活性材料（電気活性ポリマー）で作られ、アクチュエータは、電気活性ポリマーに電圧を印加する電源を備える。例えば、これにより、間隔要素は、アクチュエータとして機能するよう構成されることができる。従って、間隔要素の電気活性材料は、間隔要素を変位させることができる。その結果、第１の電圧が印加されるときウェアラブルデバイスが換気状態になり、第２の電圧が印加される（又は電圧の印可がない）とき接触状態になる。
【００４７】
システムの実施形態を参照すると、システムは、スマートフォン又は他の外部処理ユニットなどの別のエンティティにおけるウェアラブルデバイスの組み合わせを備え得る点を理解されたい。別のエンティティは、処理ユニットを含むことができる。更に、処理ユニットの機能は、ウェアラブルデバイスにより部分的に実現されることができ、スマートフォンなどの別のエンティティにより部分的に実現されることができる。ウェアラブルデバイス及び他のエンティティは、単方向又は双方向で通信するよう構成されることができる。
【図面の簡単な説明】
【００４８】
【図１】本開示の第１の態様によるウェアラブルデバイスの第１の実施形態及び本開示の第２の態様によるシステムの概略表示を示す図である。
【図２】接触状態にあるウェアラブルデバイスの実施形態の側面表示を示す図である。
【図３】経時的な生理学的パラメータ及び汗レベル測定値の第１のダイアグラムを示す図である。
【図４】経時的な生理学的パラメータ及び汗レベル測定値の第２のダイアグラムを示している図である。
【図５】換気状態にある図２のウェアラブルデバイスを示す図である。
【図６】換気状態にあるウェアラブルデバイスの更なる実施形態を示す図である。
【図７】間隔要素として膜を使用する実施形態を示す図である。
【図８】アクチュエータとしてマイクロモーターを含むウェアラブルデバイスの実施形態を示す図である。
【図９】電気活性アクチュエータを備えるウェアラブルデバイスの実施形態を示す図である。
【図１０Ａ】電気活性材料の動作原理を示す図である。
【図１０Ｂ】電気活性材料の動作原理を示す図である。
【図１１Ａ】間隔要素の異なる構成を示す図である。
【図１１Ｂ】間隔要素の異なる構成を示す図である。
【図１２】換気状態にあるウェアラブルデバイスの別の実施形態の側面表示を示す図である。
【図１３Ａ】接触状態のより詳細な表示を示す図である。
【図１３Ｂ】換気状態のより詳細な表示を示す図である。
【図１４】図１３Ａ及び図１３Ｂに示される実施形態の底面表示を示す図である。
【図１５】接触状態及び換気状態を提供する双安定要素の実施形態を示す図である。
【図１６】本開示の一態様による方法の概略的なフローチャートを示す図である。
【発明を実施するための形態】
【００４９】
本発明のこれらの及び他の態様が、以下に説明される実施形態より明らとなり、これらの実施形態を参照して説明されることになる。
【００５０】
図１は、本開示の一態様によるウェアラブルデバイスの第１の実施形態を概略的に示す。ウェアラブルデバイスは、その全体が参照番号１０で示される。所与の非限定な例では、ウェアラブルデバイス１０は、筐体１１及び固定要素１２を含む腕時計又は活動トラッカーの形で実現される。ウェアラブルデバイス１０の筐体は、電池、電子機器、例えばスマートフォンと通信するための通信インターフェース、及び例えばディスプレイ又はスピーカーの形のオプションの出力ユニット１３を含むことができる。
【００５１】
ウェアラブルデバイス１０は、ユーザ１００により着用されるよう構成される。ウェアラブルデバイス１０は、ウェアラブルデバイス１０をユーザ１００に固定する固定要素１２と、着用されるときユーザの皮膚に接触する下側１５とを有する。
【００５２】
フォトプレチスモグラフィ（ＰＰＧ）、生体インピーダンス又は容量性技術により、ユーザ１００の皮膚に接触するよう構成され、バイタルサイン（ユーザーの心拍数など）を示す生理学的信号を測定するよう構成される接触センサが、腕時計又はブレスレットなどのウェアラブルデバイス１０、１０'に一体化されることができる。信頼性の高い測定値を得るため、センサは皮膚に適切に接触する必要があり、デバイスは非常にしっかりと固定されることが好ましい。更に、特に環境光に対処するための適切なメカニズムのない光ベースのセンサの場合、センサの周りのケース又は筐体も外光からのノイズを避けるために光密であるべきである。汗は従来技術のデバイスでは逃げられず、デバイスと皮膚との間に蓄積するため、着用による不快感及び皮膚の刺激がもたらされる場合がある。デバイスが移動できない場合、これは特に、ウェアラブルデバイスがスポーツ中に使用される状況で問題となり、過度の発汗をもたらす。しかしながら、激しい運動をしていなくても、更には睡眠中であっても汗は蓄積し、着用による不快感及び皮膚刺激をもたらすことがわかっている。着用による不快感及び皮膚刺激の他に、皮膚とデバイスの間に蓄積する汗が不正確な測定値をもたらす可能性がある。
【００５３】
図２は、接触状態にあるウェアラブルデバイス１０の実施形態の側面図を示す。本開示の第１の態様によれば、ウェアラブルデバイス１０は、ウェアラブルデバイス１０の下側１５とユーザ１００の皮膚１０１との間に蓄積された汗の量を示す汗レベル測定値を決定し、上記汗レベル測定値に基づき、ウェアラブルデバイス１０の下側１５を換気する時間を決定するよう構成される処理ユニットを備える。
【００５４】
本開示の第２の態様によれば、ユーザ１００により着用されるよう構成されたウェアラブルデバイス１０'と処理ユニット２０'とを備えるシステム１が提供される。従って、処理ユニットは、ウェアラブルデバイスの一部又は別のエンティティの一部とすることができ、これによりシステム１が形成される。例えば、図１に示されるように、システム１は、ウェアラブルデバイス１０'とスマートフォン２００又は他の外部処理ユニット２０'との組み合わせを含み得る。システムの処理ユニット２０'は、ウェアラブルデバイス１０'の下側１５とユーザ１００の皮膚１０１との間に蓄積された汗の量を示す汗レベル測定値を決定し、上記汗レベル測定値に基づき、ウェアラブルデバイス１０'の下側１５を換気する時間を決定するよう構成される。オプションで、ウェアラブルデバイス１０'は、上記（外部）処理ユニット２０'を備えるスマートフォン２００などの外部デバイスと通信するための通信インターフェースを備えてもよい。（外部）処理ユニット２０'は、（内部）処理ユニット２０と同様及び／又は同一の実施形態をとることができる。従って、繰り返しを避けるため、以下の例は（内部）処理ユニット２０の場合のみを参照する。
【００５５】
内部出力ユニット１３又は外部出力ユニット１３'は、ウェアラブルデバイス１０の上記下側１５を換気する上記時間に関する通知を提供するために提供され得る。例えば、ウェアラブルデバイスは、ディスプレイ若しくは光源を介した視覚出力、スピーカーを介した可聴出力、及び／又は振動ユニットを介した触覚出力の１つ又は複数を提供することができる。同様に、斯かる出力手段は、スマートフォン２００又は他の外部エンティティにより提供され得る。
【００５６】
ウェアラブルデバイス１０は、ユーザの生理学的信号３１を取得する少なくとも１つの生理学的パラメータセンサ２１を含むことができる。例えば、生理学的パラメータセンサは、ユーザの心拍数を測定するフォトプレチスモグラフィ（ＰＰＧ）センサ又は生体インピーダンスセンサーであり得る。処理ユニット２０は有利には、上記生理学的信号に基づき汗レベル測定値を決定するよう構成されることができる。心拍数の増加は、ユーザが身体活動を行っており、汗の発生が増加し、単位時間あたりの大量の汗が生み出されることを示す。従って、生理学的信号は、ウェアラブルデバイスの下側とユーザの皮膚との間に蓄積された汗の量のインジケーションを提供する。これに基づき、ウェアラブルデバイスの上記下側を換気するための適切な時間が決定されることができる。追加的又は代替的に、ウェアラブルデバイスはタイマー２２を含むことができる。処理ユニットは、上記タイマー２２の出力に基づき汗レベル測定値を決定するよう構成されることができる。
【００５７】
図３は、経時的な生理学的パラメータ３１、ここでは心拍数の図を示す。縦軸は時間ｔを示す。左の縦軸は生理学的パラメータ、ここでは心拍数ＨＲを示す。右の縦軸は、汗レベル測定値ＳＬを示す。
【００５８】
従来のウェアラブルデバイスはしばしば、連続的な生理学的信号トレース３１を提供する。しかしながら、本書で提案される解決策は、ウェアラブルデバイス、特に着用されるとき適切な時間に対象１００の皮膚１０１と接触するその下側１５を換気するという考えに基づかれる。図３に示されるように、測定値は、第１セクションＣ１に分割される。そこでは、下側１５がユーザの皮膚に接触し、その結果、生理学的パラメータセンサ２１（図２参照）が生理学的信号３１を提供することができる。これは、接触モードとも呼ばれる。Ｖ１により示される次のセクションは、ウェアラブルデバイスの上記下側を換気する時間を示す。従って、生理学的パラメータセンサは持ち上げられ、ユーザの皮膚に接触しなくなる。空気は、上記下側の少なくとも一部に到達し、これにより換気による汗の除去が可能にされる。測定は中断され、Ｖ１の間に生理学的信号３１は取得されない。
【００５９】
この期間の後、ウェアラブルデバイスは、期間Ｃ２で示される接触モードで再度作動することができる。そこでは、生理信号３１が再び取得されることができる。この期間に続いて、第２換気期間Ｖ２が続くなどとすることができる。
【００６０】
処理ユニット１０は、ウェアラブルデバイスの下側とユーザの皮膚との間に蓄積された汗の量を示す汗レベル測定値３２を決定するよう構成される。図３に示される実施形態では、汗レベル測定値は、タイマー２２の出力に基づき決定される（図２を参照）。図３に示されるような基本的な構成では、汗レベル測定値３２は時間とともに線形に増加すると仮定されることができる。ウェアラブルデバイスの上記下側を換気する時間ｔ１は例えば、汗レベル測定３２が閾値Ｔｈ１を超える時間として、上記汗レベル測定３２に基づき決定され得る。図３では、閾値Ｔｈ１は水平の破線で示される。
【００６１】
セグメントＣ３に示されるように、オプションの改良では、上記汗レベル測定値３２の勾配が、追加の測定値に適合されることができる。例えば、図２に示されるように、ウェアラブルデバイス１０は、温度センサ２３を更に備えてもよく、ウェアラブルデバイスの下側とユーザの皮膚との間に蓄積される汗の量を示す上記汗レベル測定値は、上記タイマー２２及び上記温度センサ２３の出力に基づき決定されることができる。例えば、汗レベル測定値３２の勾配は、温度に基づき調整されることができる。なぜなら、温度が上昇すると発汗量が増加すると予想されるからである。
【００６２】
再び図２を参照すると、ウェアラブルデバイス１０は、追加的又は代替的に、ウェアラブルデバイス１０の上記下側１５とユーザ１００の皮膚１０１との間でユーザの汗の量を示す汗信号を提供するよう構成された汗センサ２４を備えることができる。処理ユニット２０は、上記汗信号に基づき汗レベル測定値を決定するよう構成されることができる。例えば、汗レベル測定値は汗信号に対応することができる。オプションで、生理学的パラメータセンサ２１は汗センサ２４として機能することができる。
【００６３】
図４は、図３と同様のグラフを示し、そこでは、ウェアラブルデバイスの下側とユーザの皮膚との間に蓄積された汗の量を示す汗レベル測定値３２は、汗センサ２４（図２参照）により提供される汗信号に基づき決定される。処理ユニット２０は例えば、上記汗レベル３２が第１の所定の閾値Ｔｈ１を超えるときを決定することにより、上記汗レベル３２に基づき、ウェアラブルデバイスの上記下側を換気する時間を決定するよう構成され得る。これに対応して、処理ユニット２０は、ウェアラブルデバイスの下側の上記換気を終了する時間を決定するよう構成され得る。例えば、図４における水平破線により示されるように、上記汗レベル測定値３２が第２の所定の閾値Ｔｈ２を下回るときそれが決定されることができる。有利には、ヒステリシスを提供するため、異なる所定の閾値Ｔｈ１及びＴｈ２が使用され、これにより、換気状態と接触状態との間の切り替えの量が制限される。
【００６４】
ここで図５を参照すると、ウェアラブルデバイス１０は、ウェアラブルデバイスの下側１５の少なくとも一部と対象１００の皮膚１０１との間に間隔４０が設けられる換気状態と、図２に示されるように、ウェアラブルデバイス１０の下側１５の上記部分が、対象１００の皮膚１０１に接触するよう構成される接触状態とに適応するように有利に構成される。間隔４０は、図５に示されるように、下側１５の少なくとも一部への空気流又は換気を可能にする。従って、再び図３を参照すると、ウェアラブルデバイスは、期間Ｃｘの間に接触状態（図２に示される）に適応し、図５に示されるように、Ｖｘで示される期間の間、換気状態を想定するよう構成されることができる。
【００６５】
図５に示される実施形態では、生理学的パラメータセンサ２１は、ウェアラブルデバイス１０の下側１５に設けられる。従って、間隔４０が設けられるとき、図３における期間Ｖｘ中にも示されるように、生理学的信号３１の測定が中断される場合がある。従って、本開示のいくつかの実施形態では、デバイスが「汗脱出モード」とも呼ばれる換気状態、即ち換気が行われているモードになるとき、生理学的パラメータの監視が中断されることができる。従って、非連続測定が提供され、その結果データが失われる場合がある。しかしながら、連続的及び近連続的又は準連続的モニタリングの利点は重視される必要がある。例えば、睡眠パターン、毎日の心拍数パターンなどの長期パターンは、例えば数秒の限られた期間中断されたとしても、全体的なパターンに関する貴重な情報を提供することができる。更に、接触モード中に取得されるが、発汗による妨害がない情報は、優れた信号品質を備えている場合があり、これは、非連続モニタリングの欠点を上回る場合がある。従って、汗が蒸発している間に失われる情報は、皮膚刺激が少ない状態で一晩中受信されるデータと比較すると、無視できる場合がある。従って、上記接触状態では（図２に示されるように）、センサはユーザの皮膚に接触するよう構成されることができ、上記換気状態では（図５に示されるように）、センサは皮膚１０１に接触しないよう構成されることができる。
【００６６】
非連続モニタリングの欠点を克服するための解決策として、生理学的パラメータセンサは、例えば接触モードにあるときフォトプレチスモグラフィ測定を提供する第１の接触モードで動作し、換気状態中、例えばレーザースペックル撮像を用いる異なる測定に切り替えるよう構成されることができる。これにより、接触モードで第１の生理学的信号３１が取得され、換気モードで第２の生理学的信号３１'が提供されることができる（図４における信号トレース３１及び３１'を参照）。有利なことに、これは、レーザースペックル撮像及びフォトプレチスモグラフィの両方にコヒーレント光源を使用することで効率的に実現されることができる。その結果、生理学的パラメータセンサの光検出器の出力信号の異なる信号処理を使用することにより異なる測定モードが影響を受ける場合がある。代替的に、生理学的パラメータセンサは、接触ベースの測定のための第１のサブセンサーと、非接触モードでの測定のための第２のサブセンサーとを含むことができる。
【００６７】
上記接触状態（図２に示される）と上記換気状態（図５に示される）との間を変更するため、上記換気状態と上記接触状態との間を変更するためのアクチュエータと、上記汗レベル測定に基づき、特に、（図２参照）処理ユニット２０により決定されたウェアラブルデバイスの下側を換気する時間に基づき、上記アクチュエータを制御するコントローラとが提供される。
【００６８】
図２及び図５に示される実施形態では、間隔要素４１が提供される。間隔要素は、ウェアラブルデバイス１０と対象１００の皮膚１０１との間に上記間隔４０を提供するよう構成される。間隔要素４１は、第１の換気状態（図５に示される）と第２の接触状態（図２に示される）との間で変位可能である。示された実施形態では、間隔要素４１は、着用されるとき下側１５とユーザ１００の皮膚１０１との間に配置される。第１の換気状態では、図５に示されるように、間隔要素は、ウェアラブルデバイス１０の下側１５から少なくとも部分的に離れており、第２の接触状態では、図２に示されるように、間隔要素４１はウェアラブルデバイスの下側１５に位置する。
【００６９】
図示の実施形態では、間隔要素４１は、水分を透過する膜の形態で実現され、これにより、図５に示されるように、間隔４０を介して対象の皮膚１０１からの汗の蒸発を可能にする。間隔４０は、膜４１に張力を加えることにより作成されることができる。皮膚１０１とウェアラブルデバイス１０の下側１５との間に間隔４０が作成される場合、換気は開放領域を介して行われることができ、これにより汗が蒸発する。
【００７０】
換気状態中の斯かる余分な張力（皮膚への圧力）は許容できることがわかっている。なぜなら、換気状態で費やされる時間は制限されることができるからである。有利には、固定要素１２は、張力を増大させると、例えば、デバイスを１〜２ｍｍ移動させると伸長するよう構成されたエラストマー製の部分を含む。
【００７１】
図６は、生理的パラメータセンサ２１が間隔要素４１と共に移動する実施形態を示す。例えば、生理学的パラメータセンサ２１は膜に取り付けられることができる。この実施形態の利点は、生理学的パラメータの連続的な監視が提供されることができることである。例えば、処理ユニットは更に、上記汗レベル測定値、及び生理学的パラメータセンサ２１の信号品質、例えば信号対雑音比に基づき、ウェアラブルデバイスの上記下側を換気する時間を決定するよう構成されることができる。高い信号対雑音比が決定される場合、より高いレベルの背景雑音が許容され得る。その結果、対象１００の皮膚１０１とウェアラブルデバイス１０の下側１５との間に間隔４０が作成されることができる。生理学的パラメータセンサ２１は、電気接続２６を介して接続されてもよい。
【００７２】
図５及び図６では、間隔４０の作成が誇張された態様で概略的に示される。実際には、より小さなスペースで十分とすることができる。
【００７３】
図７は、間隔要素４１としての膜の異なる張力の３つの異なる状況を示す。図７（ａ）では、膜４１は弛緩しており、従って、ウェアラブルデバイス１０の下側１５と接触している。図７（ｂ）では、膜４１に張力がかけられ、小さな間隔４０が作成される。図７（ｃ）では、膜４１における張力を更に増加させることにより、より大きな間隔４０が提供される。実際には、図５及び図６に概略的に示される、膜がたわむ状態を実現するより、図７（ｃ）に示されるような解決策を実現することが有利であり得る。そこでは、膜４１が平坦であるか、又は図７（ｂ）に示されるようないくらかの湾曲を有することさえあり得る。
【００７４】
図８は、図８（ｂ）に示されるような換気状態と、図８（ａ）に示されるような接触状態との間で変化するアクチュエータ４５の第１の実施形態を示す。汗レベル測定値に基づき上記アクチュエータ４５を制御するコントローラ４６が提供される。処理ユニット２０及びコントローラ４６は、異なるユニットとして、又は例えばマイクロコントローラにより単一のユニットとして実現されることができる。図８に示される実施形態では、膜４１の形態の間隔要素に張力をかけるのに１つ又は複数のマイクロモーター４５が使用される。例えば、膜と係合するよう、歯車のような構成がモーターに適用されることができる。
【００７５】
図７を参照して説明した前述の実施形態では、（比較的）柔らかい膜が使用されることができる。図８に示される実施形態では、膜４１は所定の剛性を有し、その結果、膜４１は一緒に押されるよう構成され、下方に曲がることができ、これによりウェアラブルデバイス１０が皮膚から持ち上げられ、ウェアラブルデバイスの下側が換気される。ウェアラブルデバイスの下側が堅い境界を提供するので、膜４１は上方に曲がることができず、従って換気中は一時的にのみ、対象の皮膚をわずかに圧迫する。膜４１は、開口部を有する箔又は所定の剛性を有する多孔性箔であり得る。図９、図１０Ａ及び図１０Ｂを参照して以下で更に説明されるように、電気活性ポリマー（ＥＡＰ）などの電気活性材料を使用する場合、同じ原理が適用される。ＥＡＰに電圧を印加することにより、コンポーネントは例えば拡大し始める、即ち横方向の寸法が増加する。図９（ｂ）に示されるように、例えばリストバンド１２又は筐体１１の端で反対側の端点が固定又はクランプされる場合、ＥＡＰに取り付けられた膜４１は下向きに曲がる。
【００７６】
図９に示される代替的な実施形態では、電気活性材料ＥＡＭ、特に電気活性ポリマーＥＡＰが提供されることができる。電気活性ポリマーを含む電気活性デバイスの基本的な動作原理については、図１０Ａ及び図１０Ｂを参照されたい。
【００７７】
電気活性ポリマー（ＥＡＰ）は、応答性材料の分野における新しい種類の材料である。ＥＡＰはさまざまな形状に簡単に製造できるため、統合を容易にする。ＥＡＰアクチュエータは、入力エネルギーを機械的仕事に直接変換することができる。ＥＡＰアクチュエータは、電界駆動アクチュエータ及びイオン駆動アクチュエータに分割されることができる。
【００７８】
図９（ａ）は、２つの（柔軟な）電極４７の間に挟まれた電気活性ポリマー４６を含む電界駆動型ＥＡＰアクチュエータの実施形態を示す。電極４７により、電気活性ポリマー４６に電界が印加されることができる。ＥＡＰは通常、高電界（１メートルあたりのボルト）を必要とするが、容量性のため低電流を必要とする。ポリマー層４６は、駆動電圧を可能な限り低く保つために薄いことが好ましい。電界駆動型ＥＡＰの顕著な例は、圧電及び電歪ポリマー並びに誘電性エラストマーである。他の例は、電歪グラフトポリマー、電歪紙、エレクトレット、電気粘弾性エラストマー及び液晶エラストマーを含む。
【００７９】
従来の圧電性ポリマーの限られた電気機械的性能は、有利な自発電気分極（電界駆動配列）を提供するポリフッ化ビニリデン（ＰＶＤＦ）リラクサーポリマーにより更に改善されることができることがわかっている。これらの材料は、ひずみ方向における性能を向上させるために予ひずみが加えられることもできる。なぜなら予ひずみがより好適な分子配列をもたらすからである。通常、金属電極が使用されることができる。なぜなら、ひずみは中程度の範囲（１〜５％）とすることができるからである。導電性ポリマー、カーボンブラックベースのオイル、ゲル、又はエラストマーなど、他のタイプの電極４７が使用されることもできる。電極４７は連続的又はセグメント化されることができる。
【００８０】
図１０Ａは、ポリマー４６が２つのコンプライアント電極４７の間に挟まれる電界駆動型ＥＡＰの構成を示す。図１０Ｂは、曲げアクチュエータを示し、キャリア層４８は、ＥＡＰと組み合わされ、これにより二層又は多層構造が形成される。ＥＡＰフィルムは、電極４７を介して電圧を印加することにより延伸（分子配向）されることができ、これは、図１０Ｂ（ｂ）に示されるように一の（好ましい）方向における曲げを強制する。
【００８１】
従って、図９は、特に電気活性ポリマー（ＥＡＰ）を含む電気活性アクチュエータが使用される代替的な実施形態を示す。例えば、図８に示されるようにマイクロモーターを使用する代わりに、張力を作り出すのに、膜４１の１つ又は複数の側面にある電気活性ポリマー４７などの１つ又は複数の電気活性材料が使用されることができる。図９に示される実施形態では、１つのＥＡＰが膜４１の各側に接続される。各ＥＡＰ４７の外側は、ここではリストバンドの形態の固定要素１２に固定されることができる。活性化状態では、図９（ａ）に示されるように、ＥＡＰが収縮し、こうして膜が伸びる。図９（ｂ）に示されるように、ＥＡＰが非活性化されると、ＥＡＰが膨張し、膜に向かう圧力を発生させ、それに応じて撓む。これにより、ウェアラブルデバイス１０の下側１５に間隔４０が作成される。コントローラ４６は、汗レベル測定値３２に基づきＥＡＰアクチュエータ４７を制御するため、特に、処理ユニット２０（図２参照）により決定される、ウェアラブルデバイス１０の下側１５を換気する時間に、ＥＡＰアクチュエータ４７を（非）活性化するために設けられ得る。
【００８２】
別の実施形態では、膜４１自体が、電気活性材料で作られることができる。
【００８３】
有利なことに、ＥＡＰは、いわゆるクランプ装置で構成されることができる。そこでは、ＥＡＰが、少なくとも２つの（反対の）側面、例えばウェアラブルデバイス１０の筐体１１の下側１５の２つの側面で固定される。ＥＡＰが活性化される場合、変形は図１０Ｂ（ｂ）のようになる。オプションで、リングクランプ構成が可能である。そこでは、ＥＡＰは、その周囲に沿って、少なくともその周囲に沿った複数の点で完全にクランプされることができる。
【００８４】
図１１Ａ及び図１１Ｂは、筐体１１及び固定要素１２を備えるウェアラブルデバイス１０の２つの実施形態の底面図を示す。生理的パラメータセンサ２１は、ウェアラブルデバイス１０の筐体１１の下側１５に配置される。生理学的パラメータセンサ２１は、第１の光源５１、検出器５２、及びオプションで第２の光源５３を含むＰＰＧセンサであり得る。第２の光源５３は、第１の光源５１とは異なる波長の光を発するよう構成されることができる。その結果、血液酸素測定が実行されることができる。
【００８５】
図１１Ａに示される実施形態は、図５に示される場合に対応し、生理学的パラメータセンサ２１は下側１５に配置される。光学測定を提供するため、ここではウェアラブルデバイス１０の下側を覆う膜４１の形態の間隔要素は、上記光学生理学的パラメータセンサ２１により使用される波長において透過的である。代替的に、間隔要素は、光学測定のための光路を提供するための１つ又は複数の穴又は開口を備えてもよい。即ち光源５１及び／又は５３からの光がユーザの皮膚に向かい、生理学的パラメータセンサ２１の検出器５２に戻る。
オプションで、金属電極又はグリッド状電極構成としてのＩＴＯ層と組み合わせて、例えばＵＳ７９６９６４５Ｂ２号又はＳａｍｕｅｌ  Ｓｈｉａｎ他（「Ｈｉｇｈ−ｓｐｅｅｄ，  ｃｏｍｐａｃｔ，  ａｄａｐｔｉｖｅ  ｌｅｎｓｅｓ  ｕｓｉｎｇ  ｉｎ−ｌｉｎｅ  ｔｒａｎｓｐａｒｅｎｔ  ｄｉｅｌｅｃｔｒｉｃ  ｅｌａｓｔｏｍｅｒ  ａｃｔｕａｔｏｒ  ｍｅｍｂｒａｎｅｓ」）に開示されるような透過的な材料から作られるＥＡＰが使用されることができる。従って、ＥＡＰは、生理学的パラメータセンサ、ここではウェアラブルデバイス１０の下側に埋め込まれ得るＰＰＧセンサに対して（光学的に）透過的であり得る。汗の蒸発を可能にする穴が提供されることができる。
【００８６】
一実施形態では、ＥＡＰは標準的なプラスチック材料で覆われることができる。プラスチック材料は、キャリア層として機能することができる。そこでは、図６に既に示されるように、生理学的パラメータセンサ２１が間隔要素を形成するＥＡＰに固定され得る。例えば、生理学的パラメータは固定される、例えば電気的フットプリント上及び／又は電気的活性ポリマー自体のトラック上にはんだ付けされることができる。例えば、金属はんだドット及びトラックは、電気活性ポリマーの活性材料のプラスチックカバーにおいて実現されることができる。このアプローチは、フレックスフォイルプリント回路基板に似ていると考えられることができる。
【００８７】
一実施形態では、間隔要素４１は、着用されるとき、ウェアラブルデバイスの下面１５と対象１００の皮膚１０１との間の（垂直の）穴を含むことができる。このアプローチの利点は、換気が改善されることにある。ダイアフラムのようなＥＡＰ構成も可能である。オプションで、穴は、流体（又は気体）が一方の側から他方の側へ上記開口を通って流れるよう構成された制御可能なバルブ構造として提供され得る。バルブは、ＥＡＰが活性化される場合は開いて、ＥＡＰが非活性化される場合は閉じていることができる。更に別の実施形態では、ＥＡＰは、開いた状態から閉じた状態に切り替えられることができる小さな穴を含むことができる。開いた状態では、換気が行われることができる。
【００８８】
少なくとも部分的に透過的な間隔要素４１を提供することに加えて、又はその代替として、間隔要素４１は、生理学的パラメータセンサ２１のための開口部を有し得る。
【００８９】
図１１Ｂを参照すると、間隔要素４１はオプションで、異なる部分４１ａ〜４１ｄを含むことができる。各部分は、電気活性ポリマーを含んでもよい。オプションで、部分４１ａ及び４１ｂ又は更なるセクションが、汗の除去をサポートする、例えば汗を除去するためのカスケード動作を提供するため、例えばカスケード式に交互に活性化又は非活性化されることができる。例えば、セクションは交互に活性化又は非活性化されることができる。例えば、ストリップの第１のセットが第１の時間の間並行して活性化され、ストライプの第２のセットが第２の時間の間非活性化される。この逆も真である。例えば、第１の時間フレーム中に奇数（ｕｎｅｖｅｎ)ＥＡＰセクションが非活性化される間、すべての偶数（ｅｖｅｎ）ＥＡＰセクションが活性化され、次のタイムフレーム中にステータスが逆の状態に反転されることができる。
【００９０】
図５及び図６の比較を参照すると、図６に示されるように、生理学的パラメータセンサ２１が間隔要素４１と共に移動するとき、間隔要素４１は透明である必要はなく、生理学的測定は、換気状態又は汗脱出モード中でも継続して行われることができる。しかしながら、図５に示される構成は、安定性及び製造に関する利点がある。しかしながら、図３の測定トレースに既に示されるように、生理学的パラメータセンサは、換気状態中にユーザの皮膚に接触しない場合があり、及び従って生理学的パラメータ測定の信号対雑音比が高くなりすぎ、これにより、図３の時間間隔Ｖｘにより示されるように、換気状態中の測定が無視される必要がある場合がある。
【００９１】
再び図３を参照すると、間隔要素４１としての膜は、一定の時間間隔で張力をかけられることができる。従って、タイマー２２又はクロックがトリガーとして使用されることができる。特に、汗センサ２４（図２を参照）がかなりの量の汗が存在すること、即ち所定の閾値を超えることを測定するとき、膜に張力がかけられることができる。最先端のガルバニック皮膚反応センサが汗センサ２４として使用されることができる。他の実施形態では、１つ又は複数の他のセンサを使用して、汗の量が推定されることができる。センサの例は、皮膚温度センサ、環境温度センサ、加速度計若しくはジャイロスコープなどの運動センサ、又はＰＰＧ、生体インピーダンス、静電容量センサなどのデバイスの生理学的パラメータセンサ２１とすることができる心拍数センサの１つ又は複数を含む。高温が測定されるとき、心拍数が高いとき、及び／又はランニング若しくはサイクリングのような運動が運動センサ信号から認識されるとき、汗の移動（ｓｗｅａｔ  ｅｘｃｕｒｓｉｏｎ）が予想される。予想される発汗の斯かる期間において、ウェアラブルデバイスは時々、即ち、ウェアラブルデバイスの下側を換気する時間が処理ユニットにより決定されるとき換気状態と接触状態との間で変更されることができる。
【００９２】
ウェアラブルデバイスが換気状態に切り替わった後、換気が不要になったとき、即ち汗が蒸発したとき、ウェアラブルデバイスは、接触状態に戻されることができる。接触状態に戻るタイミングは、タイマー（例えば、換気状態に切り替えてから１分後などの所定の時間）、ガルバニック皮膚反応センサなどの汗測定値を提供するセンサ、又は発汗量の推定を提供する１つ若しくは複数のセンサ（例えば、換気状態での時間に基づかれることができる、汗が蒸発した量の推定値と組み合わせた皮膚温度センサ、心拍数センサ、又は運動センサ）に基づかれることができる。
オプションで、例えばユーザがＶＯ２−ｍａｘテストを行っているとき、又は専用の測定時間間隔中の最大心拍数に関する知識が必要なときなど、継続的な監視が必要とされる場合、換気状態が手動でオフにされることができる。これにより、換気状態の望ましくない発生中に関連する測定データが失われないことが確実にされる。例えば、換気状態は、ユーザ入力を受信すると、例えば３０分間の所定の期間、非活性化され得る。
【００９３】
更に、経皮的Ｏ２又は経皮的ＣＯ２センサなど、本実施形態の心拍数センサに加えて、又は代替として、異なる生理学的パラメータセンサが使用されることができる。
【００９４】
図１２は、筐体１１と、ウェアラブルデバイスをユーザ１００に固定する固定要素１２とを備えるウェアラブルデバイス１０の更なる実施形態を示す。図１２に示されるデバイスは、前述の実施形態と同様及び／又は同一の特徴を含むことができる。相違点のみが強調表示される。図１２に示される実施形態では、筐体１１内に凹部６１が設けられる。前述の実施形態のように膜４１の形態の間隔要素を提供する代わりに、生理学的パラメータセンサ２１と対象の皮膚１０１との間に間隔４０を提供するため、生理学的パラメータセンサ２１が対象１００の皮膚１０１から持ち上げられて離されることができるようウェアラブルデバイス１０は構成される。測定中、図１３Ａに示されるように、生理学的パラメータセンサ２１は、対象１００の皮膚１０１に向かって接触するように下降されることができる。従って、ウェアラブルデバイスは接触状態を採用するよう構成される。そこでは、ウェアラブルデバイス１０の下側の生理的パラメータセンサは、対象１００の皮膚１０１に接触するよう構成される。図１３Ｂは、ウェアラブルデバイス１０の下側の生理学的パラメータセンサ２１と対象１００の皮膚１０１との間に間隔４０が設けられる換気状態を示す。オプションで、図１３Ｂに示される換気状態及び図１３Ａに示される接触状態のそれぞれの位置に生理学的パラメータセンサ２１を固定するため、固定要素６３が設けられることができる。図１４は、複数の上記固定要素６３を示す上部断面図を示す。
【００９５】
図１５は、ウェアラブルデバイス１０と対象の皮膚１０１との間に間隔４０を提供する役割を果たす間隔要素４１の更に別の実施形態を示す。図１５に示される間隔要素４１は、ウェアラブルデバイス１０と対象の皮膚１０１との間に間隔４０を提供するよう構成され、間隔要素は、図１５における間隔要素４１の実線で示される第１の換気状態と図１５における間隔要素４１の破線で示される第２の接触状態との間で変位可能である。この実施形態の利点は、双安定であることである。間隔要素は、ある状態から別の状態に（小さな）力で切り替えられ、そこで安定した位置に留まるよう構成される。
【００９６】
更に別の実施形態では、生理学的パラメータセンサをユーザの皮膚から持ち上げて換気状態を提供し、生理学的パラメータセンサをユーザの皮膚まで下げて、接触状態を提供するため、生理学的パラメータセンサの近くに１つ又は複数の間隔要素４１が設けられることができる。
【００９７】
図１６は、本開示の一態様による方法の例示的な実施形態のフローチャートを示す。図１６は、ウェアラブルデバイスを作動させる方法３００を説明し、ウェアラブルデバイスは、このデバイスをユーザに固定する固定要素と、着用されるときユーザの皮膚に接触する下側とを含む。
【００９８】
第１のステップＳ１では、ウェアラブルデバイスがユーザに固定又は適用される。第２のステップＳ２において、ウェアラブルデバイスの下側とユーザの皮膚との間に蓄積された汗の量を示す汗レベル測定値が、処理ユニットにより決定される。次のステップＳ３では、ウェアラブルデバイスの上記下側を換気する時間が、処理ユニットによる上記汗レベル測定値に基づき決定される。
【００９９】
本発明は、手首装着型ウェアラブルデバイスの実施形態を参照して説明されたが、ウェアラブルデバイスは、他の形態をとることもでき、又は指、耳たぶ、上腕若しくは胸などのユーザの身体の他の部分に適用できることを理解されたい。
【０１００】
結論として、本書に提示されるウェアラブルデバイス、システム、及び方法は、特に汗により引き起こされる皮膚刺激の低減を可能にすることにより、改善された着用快適性を可能にする。更に、測定精度が有利に向上されることができる。なぜなら、汗を除去すると反射が減少するため、より正確な光学測定が可能になり、及び／又は皮膚の上の汗層によるインピーダンスの影響が低減されるため、より正確な生体インピーダンス測定が可能になるからである。
【０１０１】
本発明が、図面及び前述の説明において詳細に図示及び説明されたが、斯かる図示及び説明は、限定的ではなく説明的又は例示的であると見なされるべきである。本発明は開示された実施形態に限定されるものではない。開示された実施形態に対する他の変形は、図面、開示、及び添付の特許請求の範囲の研究から、請求項に記載された発明を実施する当業者により理解及び達成され得る。
【０１０２】
請求項において、「有する」という語は他の要素又はステップを排除するものではなく、不定冠詞「ａ」又は「ａｎ」は複数性を排除するものではない。単一の要素又は他のユニットが、特許請求の範囲に記載されたいくつかのアイテムの機能を果たし得る。特定の手段が相互に異なる従属請求項に記載されるという単なる事実は、これらの手段の組み合わせが有利に使用されることができないことを示すものではない。
【０１０３】
コンピュータプログラムは、他のハードウェアとともに、又はその一部として提供される光学式記憶媒体又はソリッドステート媒体などの適切な媒体において格納／配布されることができるが、インターネット又は他の有線若しくは無線通信システムを介してといった他の形式で配布されることもできる。
【０１０４】
請求項中の参照符号は、範囲を限定するものとして解釈されるべきではない。
【図１】
0006794577.tif 000002
【図２】
0006794577.tif 000003
【図３】
0006794577.tif 000004
【図４】
0006794577.tif 000005
【図５】
0006794577.tif 000006
【図６】
0006794577.tif 000007
【図７（ａ）】
0006794577.tif 000008
【図７（ｂ）】
0006794577.tif 000009
【図７（ｃ）】
0006794577.tif 000010
【図８（ａ）】
0006794577.tif 000011
【図８（ｂ）】
0006794577.tif 000012
【図９（ａ）】
0006794577.tif 000013
【図９（ｂ）】
0006794577.tif 000014
【図１０Ａ】
0006794577.tif 000015
【図１０Ｂ】
0006794577.tif 000016
【図１１Ａ】
0006794577.tif 000017
【図１１Ｂ】
0006794577.tif 000018
【図１２】
0006794577.tif 000019
【図１３Ａ】
0006794577.tif 000020
【図１３Ｂ】
0006794577.tif 000021
【図１４】
0006794577.tif 000022
【図１５】
0006794577.tif 000023
【図１６】
0006794577.tif 000024